(57)【要約】【課題】ハウジングに設けられたピン受容孔の両端いずれからでも相手側端子ピンをスムーズに挿着することができるようにする。【解決手段】ハウジング１０に貫通形成されたピン受容孔１２内にコンタクト２０を備える。ハウジング１０におけるピン受容孔１２の下端側にはピン受容孔１２の内部側よりピン受容孔１２の外部側へ向けて広がるように形成されたピン案内部１６が設けられ、ピン受容孔１２の上端側に位置するコンタクト２０の端部には、ピン受容孔１２の内部側よりピン受容孔の外部側へ向けて広がるように延びた一対のガイド部２６，２６が設けられる。【選択図】　　　　図４
2004079302.tif 000002
【特許請求の範囲】
【請求項１】
ハウジングに貫通形成されたピン受容孔内にコンタクトを備え、前記コンタクトと接触させる相手側端子ピンを前記ピン受容孔の両端いずれからでも挿着させることができる双方向挿着形コネクタであって、
前記ハウジングにおける前記ピン受容孔の一端側にはピン受容孔の内部側より前記ピン受容孔の外部側へ向けて広がるように形成されたピン案内部が設けられており、
前記ピン受容孔の他端側に位置する前記コンタクトの端部には、前記ピン受容孔の内部側より前記ピン受容孔の外部側へ向けて広がるように延びた一対のガイド部が設けられていることを特徴とする双方向挿着形コネクタ。
【請求項２】
ハウジングに貫通形成されたピン受容孔内にコンタクトを備え、前記コンタクトと接触させる相手側端子ピンを前記ピン受容孔の両端いずれからでも挿着させることができる双方向挿着形コネクタであって、
前記コンタクトにおける前記ピン受容孔内を延びる方向の両端部それぞれに、前記ピン受容孔の内部側より前記ピン受容孔の外部側へ向けて広がるように延びた一対のガイド部が設けられていることを特徴とする双方向挿着形コネクタ。
【発明の詳細な説明】
【０００１】
【発明の属する技術分野】
本発明は、電子機器等と繋がる回路基板に設けられ、相手側端子ピンを受容してこれを回路基板と電気的に接続させるコネクタに関し、更に詳しくは、相手側端子ピンを回路基板の両面いずれからでも挿着させることが可能な双方向挿着形コネクタに関する。
【０００２】
【従来の技術】
電子機器等の回路基板に取り付けられて相手側端子ピンを受容し、これを回路基板と電気的に接続させるコネクタには種々の形態が知られており、相手側端子ピンを回路基板の表裏いずれからでも挿着できるようにした双方向挿着形コネクタもその一種である。図６はこのような双方向挿着形コネクタの従来例を示しており、回路基板１４０に取り付けられたハウジング１１０と、ハウジング１１０に貫通形成されたピン受容孔１１２に設けられたコンタクト１２０とを有して構成されている。相手側端子ピンと１３０接触するコンタクト１２０の接触部１２４は片持ち状態でピン受容孔１１２内を延びている。
【０００３】
このような構成の双方向挿着形コネクタでは、相手側端子ピン１３０を回路基板１４０の表側（図６では紙面の上方）から挿着しようとする場合には、端子ピン１３０をハウジングの上方よりピン受容孔１１２内へ挿入する。一方、相手側端子ピン１３０を回路基板１４０の裏側（図６では紙面の下方）から挿着しようとする場合には、端子ピン１３０を回路基板１４０に設けられた穴１４２よりピン受容孔１１２内へ挿入する。ここで、図６に示すように、ハウジング１１０における回路基板１４０と接触する側の端部（ここでは下端部）にはピン受容孔１１２の内部側から外部側へ広がる形状のピン案内部１１６が形成されており、回路基板１４０に設けられた上記穴１４２より挿入された相手側端子ピン１３０は、このピン案内部１１６に案内されてスムーズにピン受容孔１１２内へ導かれるようになっている。
【０００４】
【発明が解決しようとする課題】
しかしながら、上記従来の双方向挿着形コネクタでは、ハウジングのピン受容孔の上端側には相手側端子ピンをピン受容孔内に誘導するピン案内部が特に設けられていないため、相手側端子ピンを回路基板の表側から挿着しようとした場合には端子ピンの先端部がコンタクトの上端部に当たってしまい、相手側端子ピンやコンタクトを傷付けてしまう虞があった。また、ピン案内部がないためにピン受容孔の上端側からは相手側端子ピンを挿着しにくく、これを製造ラインで行う場合には組み立て不良品が発生して、コストアップの原因となることがあった。
【０００５】
本発明はこのような問題に鑑みてなされたものであり、ハウジングに設けられたピン受容孔の両端いずれからでも相手側端子ピンをスムーズに挿着することができて相手側端子ピンやコンタクトを傷付けることがなく、組み立て不良品の発生を大幅に減少させて製造コストの低下を図ることが可能な構成の双方向挿着形コネクタを提供することを目的としている。
【０００６】
【課題を解決するための手段】
第１の本発明に係る双方向挿着形コネクタは、ハウジングに貫通形成されたピン受容孔内にコンタクトを備え、コンタクトと接触させる相手側端子ピンをピン受容孔の両端いずれからでも挿着させることができる双方向挿着形コネクタであって、ハウジングにおけるピン受容孔の一端側にはピン受容孔の内部側よりピン受容孔の外部側へ向けて広がるように形成されたピン案内部が設けられており、ピン受容孔の他端側に位置するコンタクトの端部には、ピン受容孔の内部側よりピン受容孔の外部側へ向けて広がるように延びた一対のガイド部が設けられている。
【０００７】
第１の本発明に係る双方向挿着形コネクタにおいては、ハウジングにおけるピン受容孔の一端側にピン受容孔の内部側よりピン受容孔の外部側へ向けて広がるように形成されたピン案内部が設けられており、相手側端子ピンをこの方向から挿着しようとした場合には、これが上記ピン案内部に案内されてスムーズにピン受容孔内に導かれるようになっている。また、ピン受容孔の他端側に位置するコンタクトの端部には、ピン受容孔の内部側よりピン受容孔の外部側へ向けて広がるように延びた一対のガイド部が設けられており、相手側端子ピンをこの方向から挿着しようとした場合には、これが上記ガイド部に案内されてスムーズにピン受容孔内に導かれるようになっている。このため本双方向挿着形コネクタによれば、相手側端子ピンをピン受容孔の両端いずれからでもスムーズに挿着することができ、相手側端子ピンをコンタクトに衝突させてしまって相手側端子ピンやコンタクトを傷付けるようなことがない。また、これにより不良組立品の発生を大幅に減少させることができるので、製造コストを低下させることもできる。
【０００８】
また、第２の本発明に係る双方向挿着形コネクタは、ハウジングに貫通形成されたピン受容孔内にコンタクトを備え、コンタクトと接触させる相手側端子ピンをピン受容孔の両端いずれからでも挿着させることができる双方向挿着形コネクタであって、コンタクトにおけるピン受容孔内を延びる方向の両端部それぞれに、ピン受容孔の内部側よりピン受容孔の外部側へ向けて広がるように延びた一対のガイド部が設けられている。
【０００９】
第２の本発明に係る双方向挿着形コネクタにおいては、コンタクトのピン受容孔の延びる方向の両端部それぞれに、ピン受容孔の内部側よりピン受容孔の外部側へ向けて広がるように延びた一対のガイド部が設けられており、相手側端子ピンを本コネクタに挿着しようとした場合には、これが上記ガイド部に案内されてスムーズにピン受容孔内へ導かれるようになっている。このため本双方向挿着形コネクタによれば、相手側端子ピンをピン受容孔の両端いずれからでもスムーズに挿着でき、上記第１の本発明に係る双方向挿着形コネクタの場合と同様の効果を得ることができる。
【００１０】
【発明の実施の形態】
以下、図面を参照して本発明の好ましい実施形態について説明する。図１は本発明の第１実施形態に係る双方向挿着形コネクタを示しており、図１（Ａ）は平面図、図１（Ｂ）は図１（Ａ）における矢視ＩＢ−ＩＢより見た断面正面図、図１（Ｃ）は図１（Ａ）における矢視ＩＣ−ＩＣより見た断面側面図、図１（Ｄ）は下面図である。これらの図に示すように、本第１実施形態に係る双方向挿着形コネクタ１はピン受容孔１２を有したハウジング１０と、ハウジング１０のピン受容孔１２内に設けられたコンタクト２０とから構成されている。なお、以下の説明の便宜上、図１（Ｂ）における紙面の上下方向を本コネクタ１の上下方向（紙面の上方がコネクタ１の上方）とし、紙面の左右方向を本コネクタ１の左右方向（紙面の左方がコネクタ１の左方）とする。また、図１（Ｂ）における紙面に垂直な方向を本コネクタ１の前後方向（紙面手前側がコネクタ１の前方）とする。
【００１１】
本双方向挿着形コネクタ１のハウジング１０は樹脂等の電気絶縁性材料からなっており、ピン受容孔１２はこのハウジング１０を上下方向に貫通した形状を有している。このハウジング１０は図示しない電子機器等に設けられた回路基板４０（図３及び図４参照）上に取り付けられる。
【００１２】
コンタクト２０は金属等の導電性材料からなっている。図２はコンタクト２０単体を斜め下方から見た斜視図であり、この図からも分かるように、このコンタクト２０は、上下方向に延びたベース部２１と、ベース部２１の下端において断面コの字状になるように前方に折り曲げ形成された左右の下部折り曲げ部２２，２２と、ベース部２１の上端において断面コの字状になるように前方に折り曲げ形成された左右の上部折り曲げ部２３，２３と、左右の下部折り曲げ部２２，２２それぞれの上端より斜め上方内側に延びた二本一対の片持ちアームからなる左右の接触部２４，２４と、左右の上部折り曲げ部２３，２３それぞれの上端より斜め上方外側に延びて設けられた左右のガイド部２６，２６と、ベース部２１の上端よりハウジング１０の後方に水平に延びた水平部２７と、この水平部２７の後端より下方に真っ直ぐに延びて設けられた１本のリード部２８とを有して構成されている。
【００１３】
コンタクト２０はハウジング１０に設けられたピン受容孔１２に上方から挿入されてピン受容孔１２内に取り付けられる。ここで、図１（Ｂ）から分かるように、ピン受容孔１２はハウジング１０を上下方向に貫通してはいるが、その内径は上下に一貫して一様ではなく、ハウジング１０の下部にはコンタクト２０の左右の下部折り曲げ部２２，２２が上方から当接し得る幅に狭められた底部１５が形成されている。このためピン受容孔１２に上方から挿入されたコンタクト２０は左右の下部折り曲げ部２２，２２が底部１５に上方から当接したところでピン受容孔１２内での上下方向の位置決めがなされる。また、このとき左右の下部折り曲げ部２２，２２の前端部及び左右の上部折り曲げ部２３，２３の前端部はハウジング１０に設けられた溝１４（図１（Ａ）参照）内に入り込むので、コンタクト２０はピン受容孔１２内でしっかりと固定される。
【００１４】
上記底部１５は、ハウジング１０の下部を上下に貫通して延びてピン受容孔１２の内部側からピン受容孔１２の外部側に向けて（ここでは上方より下方に向けて）広がるように形成されたピン案内部１６によりハウジング１０の外部と連通している。また、ハウジング１０が取り付けられる回路基板４０には、図３及び図４に示すように、ハウジング１０に設けられたピン案内部１６に連通するピン挿入用開口４２が設けられている。
【００１５】
コンタクト２０における左右の接触部２４，２４は、その上端部が屈曲して斜め上方外側に延びている。これら上端の屈曲部は図１（Ｂ）に示すように、コンタクト２０がハウジング１０のピン受容孔１２内に取り付けられた状態で、ピン受容孔１２のほぼ中間部に位置する。
【００１６】
コンタクト２０がハウジング１０に取り付けられた状態では、コンタクト２０のリード部２８は図１（Ｃ）に示すように、ハウジング１０におけるピン受容孔１２の後方においてハウジング１０を上下に貫通するように延びて設けられたリード部引き出し用溝１８を上方から下方に貫通し、その下端部はハウジング１０の下面よりも下方に位置するようになっている。なお、このリード部２８は、ハウジング１０が回路基板４０に取り付けられた状態で、回路基板４０上の配線パターン（図示せず）に半田等により接続される。
【００１７】
図１（Ｂ）より分かるように、コンタクト２０がハウジング１０のピン受容孔１２内に設置された状態では、コンタクト２０の上端部に設けられた左右のガイド部２６，２６はピン受容孔１２の内部側よりピン受容孔１２の外部側へ向けて（ここでは下方より上方へ向けて）広がるように延びた状態となる。
【００１８】
図３は、相手側端子ピンをピン受容孔１２の下端部側、すなわち回路基板４０に設けられたピン挿入用開口４２から挿入した場合において、相手側端子ピン３０がコンタクト２０の接触部２４，２４と接触する様子を（Ａ），（Ｂ）の順で示す図であり、図３（Ａ）は相手側端子ピン３０が回路基板４０のピン挿入用開口４２より挿入されてその先端部がピン受容孔１２内に入った直後の状態を、また図３（Ｂ）は図３（Ａ）より相手側端子ピン３０が更に上方に押し込まれて左右の接触部２４，２４を左右に押し広げ、これら両接触部２４，２４と接触した状態を示している。ここで、相手側端子ピン３０の挿入方向が多少ハウジング１０の左右方向にずれた場合であっても、相手側端子ピン３０は、ハウジング１０の下端部に設けられた上記ピン案内部１６に案内されるため、ピン受容孔１２の内部にスムーズに導かれる。
【００１９】
図４は、相手側端子ピンをピン受容孔１２の上端部側から挿入した場合において、相手側端子ピン３０がコンタクト２０の接触部２４，２４と接触する様子を（Ａ），（Ｂ）の順で示す図であり、図４（Ａ）は相手側端子ピン３０がピン受容孔１２の上部から挿入されてその先端部がピン受容孔１２内に入った直後の状態を、また図４（Ｂ）は図４（Ａ）より相手側端子ピン３０が更に下方に押し込まれて左右の接触部２４，２４を左右に押し広げ、これら接触部２４，２４と接触した状態を示している。ここで、相手側端子ピン３０の挿入方向が多少ハウジング１０の左右方向にずれた場合であっても、相手側端子ピン３０は、コンタクト２０の上端部に設けられた上記ガイド部２６，２６に案内されるため、ピン受容孔１２の内部にスムーズに導かれる。
【００２０】
この第１実施形態に係る双方向挿着形コネクタ１においては、ハウジング１０におけるピン受容孔１２の一端側にピン受容孔１２の内部側よりピン受容孔の外部側へ向けて広がるように形成されたピン案内部１６が設けられており、相手側端子ピン３０をこの方向から挿着しようとした場合には、これが上記ピン案内部１６に案内されてスムーズにピン受容孔１２内に導かれるようになっている。また、ピン受容孔１２の他端側に位置するコンタクト２０の端部には、ピン受容孔１２の内部側よりピン受容孔１２の外部側へ向けて広がるように延びた一対のガイド部２６，２６が設けられており、相手側端子ピン３０をこの方向から挿着しようとした場合には、これが上記ガイド部２６，２６に案内されてスムーズにピン受容孔１２内に導かれるようになっている。このため本双方向挿着形コネクタ１によれば、相手側端子ピン３０をピン受容孔１２の両端いずれからでもスムーズに挿着することができ、相手側端子ピン３０をコンタクト２０に衝突させてしまって相手側端子ピン３０やコンタクト２０を傷付けるようなことがない。また、これにより不良組立品の発生を大幅に減少させることができるので、製造コストを低下させることもできる。
【００２１】
図５は本発明の第２実施形態に係る双方向挿着形コネクタを示しており、図５（Ａ）は平面図、図５（Ｂ）は図１（Ａ）における矢視ＶＢ−ＶＢより見た断面正面図、図５（Ｃ）は図１（Ａ）における矢視ＶＣ−ＶＣより見た断面側面図、図５（Ｄ）は下面図である。これらの図に示すように、本第２実施形態に係る双方向挿着形コネクタ５０はピン受容孔６２を有したハウジング６０と、ハウジング６０のピン受容孔６２内に設けられたコンタクト７０とから構成されている。ここでも以下の説明の便宜上、図５における紙面の上下方向を本コネクタ５０の上下方向（紙面の上方がコネクタ５０の上方）とし、紙面の左右方向を本コネクタ５０の左右方向（紙面の左方がコネクタ５０の左方）とする。また、紙面に垂直な方向を本コネクタ５０の前後方向（紙面手前側がコネクタ１の前方）とする。
【００２２】
本双方向挿着形コネクタ５０では、コンタクト７０は上下方向に延びたベース部７１と、ベース部７１の下端部において断面コの字状になるように前方に折り曲げ形成された左右の下部折り曲げ部７２，７２と、ベース部７１の上端部において断面コの字状になるように前方に折り曲げ形成された左右の上部折り曲げ部７３，７３と、左右の下部折り曲げ部７２，７２それぞれより斜め上方内側に延びた二本一対の片持ちアームからなる左右の接触部７４，７４と、左右の下部折り曲げ部７２，７２より下方に延び、その先端部が斜め下方外側に延びて設けられた左右の下方ガイド部７５，７５と、左右の上部折り曲げ部７３，７３より斜め上方外側に延びて設けられた左右の上方ガイド部７６，７６と、ベース部７１の上端部よりハウジング１０の後方に水平に延びた水平部７７と、この水平部７７の後端より下方に真っ直ぐに延びて設けられた１本のリード部７８とを有して構成されている。
【００２３】
コンタクト７０はハウジング６０に設けられたピン受容孔６２に上方から挿入されてピン受容孔６２内に取り付けられる。図５（Ｂ）から分かるように、ハウジング６０の下部にはコンタクト７０の左右の折り曲げ部７２，７２が上方から当接し得る幅に狭められた底部６５が形成されており、ピン受容孔６２に上方から挿入されたコンタクト７０はこの底部６５に当接することによりピン受容孔６２内での受下方向の位置決めがなされる。また、このとき左右の下部折り曲げ部７２，７２の前端部及び左右の上部折り曲げ部７３，７３の前端部はハウジング６０に設けられた溝６４内に入り込んでコンタクト７０をハウジング６０内においてしっかりと固定する。
【００２４】
上記底部６５は、ハウジング６０の下部を上下に貫通して延びた開口部６６によりハウジング６０の外部と連通している。また、ハウジング６０が取り付けられる回路基板（図示せず）には、ハウジング６０に設けられた開口部６６に連通するピン挿入用開口（図示せず）が設けられている。
【００２５】
コンタクト７０における左右の接触部７４，７４は、その上端部が屈曲して斜め上方外側に延びており、これら上端の屈曲部は図５（Ｂ）に示すように、コンタクト７０がハウジング６０のピン受容孔６２内に取り付けられた状態で、ピン受容孔６２のほぼ中間部に位置するようになっている。
【００２６】
コンタクト７０がハウジング６０に取り付けられた状態では、コンタクト７０のリード部７８は図５（Ｃ）に示すように、ハウジング６０におけるピン受容孔６２の後方においてハウジング６０を上下に貫通するように延びて設けられたリード部引き出し用溝６８を上方から下方に貫通し、その下端部はハウジング６０の下面よりも下方に位置するようになっている。このリード部７８が、ハウジング６０が回路基板に取り付けられた状態で、回路基板上の配線パターン（図示せず）に半田等により接続されるのは上述の第１実施形態に係る双方向挿着形コネクタ１の場合と同様である。
【００２７】
図５（Ｂ）より分かるように、コンタクト７０がハウジング７０のピン受容孔７２内に設置された状態では、コンタクト７０の下端部に設けられた左右の下方ガイド部７５，７５はピン受容孔６２の内部側よりピン受容孔６２の外部側へ向けて（ここでは上方より下方へ向けて）広がるように延びた状態となる。また、コンタクト７０の上端部に設けられた左右の上方ガイド部７６，７６はピン受容孔６２の内部側よりピン受容孔６２の外部側へ向けて（ここでは下方より上方へ向けて）広がるように延びた状態となる。
【００２８】
この第２実施形態に係る双方向挿着形コネクタ５０においては、コンタクト７０のピン受容孔６２の延びる方向の両端部それぞれに、ピン受容孔６２の内部側よりピン受容孔６２の外部側へ向けて広がるように延びた一対のガイド部（下方ガイド部７５，７５及び上方ガイド部７６，７６）が設けられており、相手側端子ピンを本コネクタ５０に挿着しようとした場合には、これが上記ガイド部に案内されてスムーズにピン受容孔６２内へ導かれるようになっている。このため本双方向挿着形コネクタ５０によれば、相手側端子ピンをピン受容孔６２の両端いずれからでもスムーズに挿着でき、上記第１の本発明に係る双方向挿着形コネクタの場合と同様の効果を得ることができる。
【００２９】
これまで本発明の好ましい実施形態について説明してきたが、本発明の範囲は上述の実施形態に示されたものに限定されない。例えば、上述の実施形態においては、ピン挿入孔に挿入された相手側端子ピンと接触するコンタクトの接触部は二本一対の片持ちアームからなっていたが、これは必ずしも左右一対でなくてもよく、一本の片持ちアームからなっていてもよい。また、コンタクト全体の形状は、ピン受容孔の両端いずれからでも挿着可能になっていれば、その形状は特に限定されない。ハウジングの形状についても同様であり、ピン受容孔の両端いずれからでも挿着可能になっているのであれば、その形状は特に限定されない。
【００３０】
【発明の効果】
以上説明したように、第１の本発明に係る双方向挿着形コネクタにおいては、ハウジングにおけるピン受容孔の一端側にピン受容孔の内部側よりピン受容孔の外部側へ向けて広がるように形成されたピン案内部が設けられており、相手側端子ピンをこの方向から挿着しようとした場合には、これが上記ピン案内部に案内されてスムーズにピン受容孔内に導かれるようになっている。また、ピン受容孔の他端側に位置するコンタクトの端部には、ピン受容孔の内部側よりピン受容孔の外部側へ向けて広がるように延びた一対のガイド部が設けられており、相手側端子ピンをこの方向から挿着しようとした場合には、これが上記ガイド部に案内されてスムーズにピン受容孔内に導かれるようになっている。このため本双方向挿着形コネクタによれば、相手側端子ピンをピン受容孔の両端いずれからでもスムーズに挿着することができ、相手側端子ピンをコンタクトに衝突させてしまって相手側端子ピンやコンタクトを傷付けるようなことがない。また、これにより不良組立品の発生を大幅に減少させることができるので、製造コストを低下させることもできる。
【００３１】
また、第２の本発明に係る双方向挿着形コネクタにおいては、コンタクトのピン受容孔の延びる方向の両端部それぞれに、ピン受容孔の内部側よりピン受容孔の外部側へ向けて広がるように延びた一対のガイド部が設けられており、相手側端子ピンを本コネクタに挿着しようとした場合には、これが上記ガイド部に案内されてスムーズにピン受容孔内へ導かれるようになっている。このため本双方向挿着形コネクタによれば、相手側端子ピンをピン受容孔の両端いずれからでもスムーズに挿着でき、上記第１の本発明に係る双方向挿着形コネクタの場合と同様の効果を得ることができる。
【図面の簡単な説明】
【図１】本発明の第１実施形態に係る双方向挿着形コネクタを示しており、（Ａ）は平面図、（Ｂ）は（Ａ）における矢視ＩＢ−ＩＢより見た断面正面図、（Ｃ）は（Ａ）における矢視ＩＣ−ＩＣより見た断面側面図、（Ｄ）は下面図である。
【図２】コンタクト単体を斜め下方から見た斜視図である。
【図３】相手側端子ピンをピン受容孔の下端部側から挿入した場合において、相手側端子ピンがコンタクトの接触部と接触する様子を（Ａ），（Ｂ）の順で示す図である。
【図４】相手側端子ピンをピン受容孔の上端部側から挿入した場合において、相手側端子ピンがコンタクトの接触部と接触する様子を（Ａ），（Ｂ）の順で示す図である。
【図５】本発明の第２実施形態に係る双方向挿着形コネクタを示しており、（Ａ）は平面図、（Ｂ）は（Ａ）における矢視ＶＢ−ＶＢより見た断面正面図、（Ｃ）は（Ａ）における矢視ＶＣ−ＶＣより見た断面側面図、（Ｄ）は下面図である。
【図６】従来例に係る双方向挿着形コネクタの断面正面図である。
【符号の説明】
１　　　双方向挿着形コネクタ
１０　　ハウジング
１２　　ピン受容孔
１６　　ピン案内部
２０　　コンタクト
２１　　ベース部
２２　　下部折り曲げ部
２３　　上部折り曲げ部
２４　　接触部
２６　　ガイド部
２７　　水平部
２８　　リード部
３０　　相手側端子ピン
４０　　回路基板
４２　　ピン挿入用開口
【図１】
2004079302.tif 000003
【図２】
2004079302.tif 000004
【図３】
2004079302.tif 000005
【図４】
2004079302.tif 000006
【図５】
2004079302.tif 000007
【図６】
2004079302.tif 000008